(57)【要約】【課題】  開放位置にある扉体が自重又は外力等で閉止位置側に簡単に揺動することを抑制しながらも、リンク機構の揺動リンクが揺動中立位置を越えた際の急激な切り換え揺動を効果的に抑制する。【解決手段】収納室Ｓの内壁部に取付けられる第１取付け部材４と、扉体１の裏面に取付けられる第２取付け部材５とがリンク機構Ｂを介して連結され、リンク機構Ｂを構成する揺動リンク７と第１取付け部材４との間には、揺動リンク７の揺動に連れて扉体１を閉止位置と開放位置とに択一的に弾性力で付勢保持する付勢機構Ｃと、これによる弾性付勢力を調節する付勢力調節操作手段Ｄが設けられているとともに、第１取付け部材４との摺動によって揺動リンク６に抵抗を付与することが可能で、かつ、その付与される摺動抵抗を調節可能な抵抗付与手段Ｅが設けられている。【選択図】        図３
2005133330.tif 000002
【特許請求の範囲】
【請求項１】
収納室の内壁部に取付けられる第１取付け部材と、収納室の開口部を閉止する扉体の裏面に取付けられる第２取付け部材とが、閉止位置と開放位置とに亘って扉体を揺動案内するリンク機構を介して連結されているとともに、リンク機構を構成する揺動リンクと第１取付け部材との間には、揺動リンクの揺動に連れて扉体を閉止位置と開放位置とに択一的に弾性力で付勢保持する付勢機構と、これによる弾性付勢力を調節する付勢力調節操作手段が設けられている扉体開閉装置であって、
前記第１取付け部材との摺動によって揺動リンクに抵抗を付与することが可能で、かつ、その付与される摺動抵抗を調節可能な抵抗付与手段が設けられている扉体開閉装置。
【請求項２】
前記付勢機構が、揺動リンクの基端部側に設けられた第１受け部と、第１取付け部材に設けられた第２受け部、及び、両受け部に亘って取付けられる引張コイルバネとから構成されているとともに、引張コイルバネの一端側が第１受け部に対して揺動軸芯と平行な軸芯周りで回動自在に取付けられ、更に、引張コイルバネの他端側が第２受け部に対して三次元方向に向き変更自在に構成されている請求項１記載の扉体開閉装置。
【請求項３】
前記付勢力調節操作手段が、引張コイルバネの両端部の各々に対してコイル軸芯方向から螺合固定されるネジ部材と、第１受け部に揺動軸芯と平行な軸芯周りで回動自在に枢支された回動支軸と、この回動支軸の貫通孔を通して一方の第１ネジ部材に螺合された第１操作ネジ軸と、第２受け部に形成された凹部に沿って三次元方向に向き変更自在で、かつ、この凹部に形成された貫通孔を通して他方の第２ネジ部材に螺合された第２操作ネジ軸とから構成されている請求項１又は２記載の扉体開閉装置。
【請求項４】
前記抵抗付与手段が、揺動リンクのうち、全揺動範囲において第１取付け部材と重合する部位に螺合された調節ネジと、第１取付け部材に摺動可能な状態で調節ネジの先端に保持される耐摩耗性の摺動体とから構成されている請求項１〜３のいずれか１項に記載の扉体開閉装置。
【請求項５】
前記リンク機構を構成する上下一対の揺動リンクが閉止位置及び開放位置の何れかにあるとき、少なくとも第２取付け部材の中間部分とそれに対応する揺動リンクとの間に指差し入れ用空間が形成されている請求項１〜４のいずれか１項に記載の扉体開閉装置。
【請求項６】
前記揺動リンクとの当接によって扉体の開放位置を複数に変更可能な開放位置調節手段が設けられ、この開放位置調節手段が、第１取付け部材に回動並びにその回動軸芯方向の一定範囲内で移動自在に枢着され、かつ、回動軸芯からの距離が異なる複数のストッパー面を備えたストッパー部材と、このストッパー部材のストッパー面がスッパー作用位置で選択的に係合保持されるように、ストッパー部材の底面に形成された回動方向で複数の係合凹部に対して選択的に係合する状態で第１取付け部材から打ち出し形成された係止突起と、この係合突起に対するストッパー部材の係合凹部の乗り越え回動を許容する状態でストッパー部材を第１取付け部材側に移動付勢する弾性付勢体とから構成されている請求項１〜５のいずれか１項に記載の扉体開閉装置。
【請求項７】
前記第１受け部が、揺動リンクの基端部側をコの字状に折り曲げることにより構成されているとともに、このコの字状の第１受け部に回動支軸が回転自在に両持ち支持されている請求項３記載の扉体開閉装置。
【発明の詳細な説明】
【技術分野】
【０００１】
本発明は、トールキャビネット、シンクキャビネット、吊り戸棚等の建具或いは食器棚、書棚、下駄箱等の家具などに装備される扉体の開閉装置で、詳しくは、収納室の内壁部に取付けられる第１取付け部材と、収納室の開口部を閉止する扉体の裏面に取付けられる第２取付け部材とが、閉止位置と開放位置とに亘って扉体を揺動案内するリンク機構を介して連結されているとともに、リンク機構を構成する揺動リンクと第１取付け部材との間には、揺動リンクの揺動に連れて扉体を閉止位置と開放位置とに択一的に弾性力で付勢保持する付勢機構と、これによる弾性付勢力を調節する付勢力調節操作手段が設けられている扉体開閉装置に関する。
【背景技術】
【０００２】
従来の扉体開閉装置では、収納室を形成する扉取付け枠体の構成部材のうち、収納室の開口幅方向である左右方向で相対向する側板の内壁面に、ほぼＬの字状の第１取付け部材が、天板の内面に沿って横向き姿勢でビス止めされ、この第１取付け部材の前端上部の角部及び前端下部には、リンク機構を構成する上下一対の揺動リンクの基端部が左右方向に沿う横軸芯周りで揺動自在に枢着されているとともに、扉体の裏面にビス止めされた第２取付け部材の上下二箇所には、上下一対の揺動リンクの先端部が、左右方向に沿う横軸芯周りで揺動自在に枢着されている。
【０００３】
更に、扉体を閉止位置と開放位置とに択一的に弾性力で付勢保持する付勢機構は、上方側に位置するＬ字状の揺動リンクの基端部に枢着された第１受け部材と、第１取付け部材の奥側端部に枢着された第２受け部材、及び、両受け部材に亘って取付けられた引張コイルバネから構成されている。
【０００４】
前記付勢力調節操作手段は、引張コイルバネの両端部に対してコイル軸芯方向から螺合固定されるネジ部材と、第１受け部材の貫通孔を通して一方の第１ネジ部材に螺合された第１操作ネジ軸と、第２受け部材の貫通孔を通して他方の第２ネジ部材に螺合された第２操作ネジ軸とから構成されている（特許文献１参照）。
【０００５】
【特許文献１】特開２００１−２４８３５５号公報
【発明の開示】
【発明が解決しようとする課題】
【０００６】
従来の扉体開閉装置では、付勢力調節操作手段の第１操作ネジ軸又は第２操作ネジ軸を操作することにより、扉体を閉止位置と開放位置とに択一的に付勢保持するための弾性付勢力を調整することができるものの、開放位置にある扉体が自重又は外力で閉止位置側に簡単に揺動しないように、引張コイルバネの弾性付勢力を強めると、開放位置又は閉止位置への切り換え操作時に、リンク機構を構成する両揺動リンクが揺動中立位置（揺動死点）に到達した時点で引張コイルバネの弾性付勢力が最も強くなるため、揺動中立位置を越えた時点で扉体が開放位置又は閉止位置へ急激に切り換わり、その結果、騒音や振動が大きくなるばかりでなく、扉体の切り換え操作力が大きくなり、しかも、大きな衝撃力を吸収緩和するための緩衝機構が必要で、構造の複雑化、製造コストの高騰化を招来し易い。
【０００７】
本発明は、上述の実状に鑑みて為されたものであって、その主たる課題は、開放位置にある扉体が自重又は外力等で閉止位置側に簡単に揺動することを抑制しながらも、リンク機構の揺動リンクが揺動中立位置を越えた際の急激な切り換え揺動を効果的に抑制することのできる扉体開閉装置を提供する点にある。
【課題を解決するための手段】
【０００８】
本発明の第１の特徴構成は、収納室の内壁部に取付けられる第１取付け部材と、収納室の開口部を閉止する扉体の裏面に取付けられる第２取付け部材とが、閉止位置と開放位置とに亘って扉体を揺動案内するリンク機構を介して連結されているとともに、リンク機構を構成する揺動リンクと第１取付け部材との間には、揺動リンクの揺動に連れて扉体を閉止位置と開放位置とに択一的に弾性力で付勢保持する付勢機構と、これによる弾性付勢力を調節する付勢力調節操作手段が設けられている扉体開閉装置であって、
前記第１取付け部材との摺動によって揺動リンクに抵抗を付与することが可能で、かつ、その付与される摺動抵抗を調節可能な抵抗付与手段が設けられている点にある。
【０００９】
上記特徴構成によれば、付勢力調節操作手段を調整操作することにより、扉体を閉止位置と開放位置とに択一的に付勢保持するための付勢機構の弾性付勢力を調整することができるばかりでなく、この調節された弾性付勢力と、抵抗付与手段によって揺動リンクに付与される摺動抵抗とによって、扉体を閉止位置と開放位置に択一的に位置保持することができるため、開放位置にある扉体が自重又は外力で閉止位置側に簡単に揺動しないようにする場合でも、従来装置に比して付勢機構の弾性付勢力を弱く設定することができる。
【００１０】
従って、開放位置にある扉体が自重又は外力等で閉止位置側に簡単に揺動することを抑制しながらも、付勢機構による弾性付勢力を弱く設定して、リンク機構の揺動リンクが揺動中立位置を越えた際の急激な切り換え揺動を効果的に抑制することができるから、従来装置に比して騒音や振動が小さくなるばかりでなく、衝撃力を吸収緩和するための緩衝機構が不要で、構造の簡素化、製造コストの低廉化を図ることができる。
【００１１】
本発明の第２の特徴構成は、前記付勢機構が、揺動リンクの基端部側に設けられた第１受け部と、第１取付け部材に設けられた第２受け部、及び、両受け部に亘って取付けられる引張コイルバネとから構成されているとともに、引張コイルバネの一端側が第１受け部に対して揺動軸芯と平行な軸芯周りで回動自在に取付けられ、更に、引張コイルバネの他端側が第２受け部に対して三次元方向に向き変更自在に構成されている点にある。
【００１２】
上記特徴構成によれば、扉体の閉止位置又は開放位置への揺動に連れて、引張コイルバネが取付けられる揺動リンク側の第１受け部と第１取付け部側の第２受け部との相対位置関係及び向き姿勢が変化するが、第１受け部に対する引張コイルバネの一端側での回動と、第２受け部に対する引張コイルバネの他端側における三次元方向での向き変更により、付勢機構及び付勢力調節操作手段がスムーズに追従揺動し、扉体の開閉操作を円滑に行わせることができる。
【００１３】
本発明の第３の特徴構成は、前記付勢力調節操作手段が、引張コイルバネの両端部の各々に対してコイル軸芯方向から螺合固定されるネジ部材と、第１受け部に揺動軸芯と平行な軸芯周りで回動自在に枢支された回動支軸と、この回動支軸の貫通孔を通して一方の第１ネジ部材に螺合された第１操作ネジ軸と、第２受け部に形成された凹部に沿って三次元方向に向き変更自在で、かつ、この凹部に形成された貫通孔を通して他方の第２ネジ部材に螺合された第２操作ネジ軸とから構成されている点にある。
【００１４】
上記特徴構成によれば、引張コイルバネの両端部に螺合固定されたネジ部材を介して各受け部に取付けるから、引張コイルバネの両端部と各受け部とを強固に取付けることができるものでありながら、引張コイルバネに対する特別な加工は不要で、引張コイルバネに対してネジ部材をコイル軸線方向から螺合操作するだけで済む。しかも、付勢機構及び付勢力調節操作手段を揺動リンクの揺動にスムーズに追従させるにあたっても、第１操作ネジ軸を第１受け部に枢支された回動支軸の貫通孔に挿通し、かつ、第２操作ネジ軸を第２受け部の凹部の貫通孔に対して三次元方向に向き変更自在に挿通するだけでよいから、製造コストの低廉化と製作の容易化とを図ることができる。
【００１５】
本発明の第４の特徴構成は、前記抵抗付与手段が、揺動リンクのうち、全揺動範囲において第１取付け部材と重合する部位に螺合された調節ネジと、第１取付け部材に摺動可能な状態で調節ネジの先端に保持される耐摩耗性の摺動体とから構成されている点にある。
【００１６】
上記特徴構成によれば、揺動リンクに螺合された調節ネジを操作して摺動体を第１取付け部材に押圧することにより、揺動リンクに所定の摺動抵抗を付与することができるとともに、この摺動構造を利用して揺動リンクをガタツキの無い状態で円滑に揺動させることができる。
【００１７】
本発明の第５の特徴構成は、前記リンク機構を構成する上下一対の揺動リンクが閉止位置及び開放位置の何れかにあるとき、少なくとも第２取付け部材の中間部分とそれに対応する揺動リンクとの間に指差し入れ用空間が形成されている点にある。
【００１８】
上記特徴構成によれば、例えば、キャビネット等に取付けられる前の扉体開閉装置において、或いは、キャビネット等の内壁部にのみ取付けられた扉体開閉装置において、リンク機構の揺動リンクを閉止位置又は開放位置に切り換える際、少なくとも第２取付け部材の中間部分とそれに対応する揺動リンクとの間に指差し入れ可能な空間が形成されているため、第２取付け部材の中間部分を開閉操作のためのグリップ部として使用することができる。
【００１９】
本発明の第６の特徴構成は、前記揺動リンクとの当接によって扉体の開放位置を複数に変更可能な開放位置調節手段が設けられ、この開放位置調節手段が、第１取付け部材に回動並びにその回動軸芯方向の一定範囲内で移動自在に枢着され、かつ、回動軸芯からの距離が異なる複数のストッパー面を備えたストッパー部材と、このストッパー部材のストッパー面がスッパー作用位置で選択的に係合保持されるように、ストッパー部材の底面に形成された回動方向で複数の係合凹部に対して選択的に係合する状態で第１取付け部材から打ち出し形成された係止突起と、この係合突起に対するストッパー部材の係合凹部の乗り越え回動を許容する状態でストッパー部材を第１取付け部材側に移動付勢する弾性付勢体とから構成されている点にある。
【００２０】
上記特徴構成によれば、トールキャビネット、シンクキャビネット、吊り戸棚等によって扉体の開放位置が異なる場合でも、第１取付け部材に枢着されたストッパー部材を弾性付勢体の付勢力に抗して回動操作して、第１取付け部から打ち出し形成された係合突起に対してストッパー部材の係合凹部を乗り越え回動させ、その調整代に対応するストッパー部材のストッパー面をスッパー作用位置で係止保持することにより、扉体の開放位置を適正な位置に迅速、容易に修正することができる。
【００２１】
本発明の第７の特徴構成は、前記第１受け部が、揺動リンクの基端部側をコの字状に折り曲げることにより構成されているとともに、このコの字状の第１受け部に回動支軸が回転自在に両持ち支持されている点にある。
【００２２】
上記特徴構成によれば、引張コイルバネの弾性付勢力に抗して回動支軸を両持ち状態で強固に支持することができるばかりでなく、揺動リンクの基端部側の機械的強度も高めることができる。
【発明を実施するための最良の形態】
【００２３】
〔第１実施形態〕
図１〜図８は、トールキャビネット、シンクキャビネット、吊り戸棚等の建具或いは食器棚、書棚、下駄箱等の家具などに装備される扉体１の開閉装置を示し、収納室Ｓを形成する扉取付け枠体Ａの構成部材のうち、収納室Ｓの開口幅方向である左右方向で相対向する側板（又は縦框）２の内壁面（内壁部）の各々に複数本のビス３で固定される金属製の第１取付け部材４と、扉体１の裏面に複数本のビス３で固定される金属製の第２取付け部材５とが、収納室Ｓの開口部を閉止する閉止位置と開口部の上方側の外側脇に移動した開放位置とに亘って扉体１を平行又はほぼ平行姿勢に維持したまま揺動案内する金属製のリンク機構Ｂを介して連結されている。
【００２４】
また、前記リンク機構Ｂを構成する上下一対の揺動リンク６，７のうち、下方側に位置する揺動リンク７の基端部にコの字状に折り曲げ形成された第１受け部７Ａと、扉取付け枠体Ａの天板８の下面奥側に当て付ける状態Ｌ字状に折り曲げ形成された第１取付け部材４の第２受け部４Ｃとの間には、上側揺動リンク６の揺動に連れて扉体１を閉止位置と開放位置とに択一的に弾性力で付勢保持する付勢機構Ｃが設けられているとともに、前記付勢機構Ｃによる弾性付勢力を調節する付勢力調節操作手段Ｄと、第１取付け部材４との摺動によって上側揺動リンク６に抵抗を付与することが可能で、かつ、その付与される摺動抵抗を調節可能な抵抗付与手段Ｅと、上側揺動リンク６との当接によって扉体１の開放位置を複数に変更可能な開放位置調節手段Ｆが設けられている。
【００２５】
そして、上述のように、扉体１を平行又はほぼ平行姿勢に維持したまま閉止位置と開放位置とに亘って平行移動させる場合には、開閉操作時における扉体１の前方への突出移動代が少なくなり、扉体１の開閉をスペース面及び取扱い面で有利に行うことができるとともに、開き操作時には、扉体１の大部分が開口部の上方外側脇に退避移動するから、開口部の開口面積を大きく取ることができる。
【００２６】
前記第１取付け部材４は、図１〜図４に示すように、上下方向に沿う取付け本体板部４Ａと、それから後方上方に向かって連続形成される傾斜板部４Ｂ、及び、傾斜板部４Ｂの上側縁から直角に折り曲げ形成された第２受け部４Ｃとからなり、取付け本体板部４Ａの後側縁の上部には、上側揺動リンク６の基端部を両持ち状態で枢着するためのコの字状の枢支連結部４Ｄが折り曲げ形成されているとともに、取付け本体板部４Ａの後側縁の下部には、下側揺動リンク７の基端部を両持ち状態で枢着するためのコの字状の枢支連結部４Ｅが折り曲げ形成されている。
【００２７】
また、第１取付け部材４には、上側枢支連結部４Ｄと下側枢支連結部４Ｅとに連続する補強側辺４Ｆが折り曲げ形成されているとともに、取付け本体板部４Ａと傾斜板部４Ｂ及び第２受け部４Ｃにはビスや釘等に対する取付け孔４ａが形成されている。
【００２８】
前記第２取付け部材５は、図１〜図４に示すように、扉体１の裏面に上下方向に沿って取付けられる取付け板部５Ａの一側縁の上部に、上側揺動リンク６の先端部を枢着するための板状の枢支連結部５Ｂが直角に折り曲げ形成されているとともに、取付け板部５Ａの一側縁の下部には、下側揺動リンク７の先端部を枢着するための板状の枢支連結部５Ｃが直角に折り曲げ形成されている。
【００２９】
また、第２取付け部材５には、上側枢支連結部５Ｂと下側枢支連結部５Ｃとに連続する補強側辺５Ｄが折り曲げ形成されているとともに、取付け板部５Ａには、ビスや釘等に対する取付け孔５ａが形成されている。
【００３０】
前記上側揺動リンク６の中央部６Ａは、図１〜図４に示すように、開放位置に切り換え揺動させたとき、扉取付け枠体Ａの天板８の前端と干渉しないように、その天板８の前端を迂回可能な形状に屈曲形成されているとともに、上側揺動リンク６の基端部は、第１取付け部材４の上側枢支連結部４Ｄに両持ち状態で架設された第１連結ピン９Ａを介して左右方向に沿う水平軸芯（揺動軸芯）周りで回動自在に枢着されているとともに、上側揺動リンク６の先端部は、第２取付け部材５の上側枢支連結部５Ｂに第２連結ピン９Ｂを介して左右方向に沿う水平軸芯周りで回動自在に枢着されている。
【００３１】
前記上側揺動リンク６の屈曲中央部６Ａよりも少し先端側に偏位した部位には、図１〜図４、図８に示すように、開口幅方向で相対向する他の上側揺動リンク６に二本の連結軸１０を介して脱着自在に連動連結するための取付け部である二つの取付け孔６ａが貫通形成されているとともに、各連結軸１０の端部には、上側揺動リンク６の取付け孔６ａに挿通されたネジ部材の一例であるビス１１を介して上側揺動リンク６に螺合固定するための第１ネジ孔１０ａと、連結軸１０の第１ネジ孔１０ａに螺合されたビス１１に対して径方向から圧接することによりビス１１の弛みを防止するロックネジ１２のための第２ネジ孔１０ｂが形成されている。
【００３２】
前記下側揺動リンク７の基端部は、図１〜図４に示すように、第１取付け部材４の下側枢支連結部４Ｅに両持ち状態で架設された第３連結ピン９Ｃを介して左右方向に沿う水平軸芯（揺動軸芯）周りで回動自在に枢着されているとともに、下側揺動リンク７の先端部は、第２取付け部材５の下側枢支連結部５Ｃに第４連結ピン９Ｄを介して左右方向に沿う水平軸芯周りで回動自在に枢着されている。
【００３３】
また、図２、図４に示すように、前記扉体１を閉止位置から開放位置に開き操作した際、上側揺動リンク６と下側揺動リンク７とが干渉しないように、上側揺動リンク６のうち、下側揺動リンク７と重合する部位を含む先端側の大部分は、基端側部分に対して下側揺動リンク７の揺動経路から板厚方向（揺動軸芯方向）に外れた部位にまで屈曲形成されているとともに、前記上側揺動リンク６の先端部は第２取付け部材５の上側枢支連結部５Ｂの内面側に、かつ、下側揺動リンク７の先端部は第２取付け部材５の下側枢支連結部５Ｃの外面側にそれぞれ枢着されている。
【００３４】
前記付勢機構Ｃは、図１〜図５に示すように、下側揺動リンク７の第１受け部７Ａと第１取付け部材４の第２受け部４Ｃ、及び、両受け部７Ａ，４Ｃに亘って取付けられた引張コイルバネ１４とから構成されているとともに、前記引張コイルバネ１４の両端部の各々には、各受け部７Ａ，４Ｃに取付けるための取付け部の一例であるネジ孔１５ａを備えたネジ部材１５がコイル軸線方向から螺合固定されていて、引張コイルバネ１４の一端側が第１受け部７Ａに対して揺動軸芯と平行な軸芯周りで回動自在に取付けられ、更に、引張コイルバネ１４の他端側が第２受け部４Ｃに対して三次元方向に向き変更自在に構成されている。
【００３５】
前記下側揺動リンク７の第１受け部７Ａの枢支連結軸芯（下側揺動リンク７の基端側の揺動軸芯）Ｐ１は、図３に示すように、扉体１が開放位置にあるとき、第１取付け部材４の第２受け部４Ｃにおける取付け中心位置Ｐ２と第１取付け部材４の下側枢支連結部４Ｅにおける枢支連結軸芯Ｐ３とを結ぶ線分Ｘに対して上方側に偏位した部位に位置して、引張コイルバネ１４の弾性復元力で扉体１を開放位置に付勢保持し、また、図１に示すように、扉体１が閉止位置にあるときには、下側揺動リンク７の第１受け部７Ａの枢支連結軸芯Ｐ１が、第１取付け部材４の第２受け部４Ｃにおける取付け中心位置Ｐ２と第１取付け部材４の下側枢支連結部４Ｅにおける枢支連結軸芯Ｐ３とを結ぶ線分Ｘに対してそれを少し超えた下方側に位置して、引張コイルバネ１４の弾性復元力で扉体１を閉止位置に付勢保持するように構成されている。
【００３６】
また、前記下側揺動リンク７の第１受け部７Ａの枢支連結軸芯Ｐ１と第１取付け部材４の第２受け部４Ｃにおける取付け中心位置Ｐ２とのコイル軸線方向での対向間隔は、扉体１が開放位置にあるときよりも扉体１が閉止位置にあるときの方が大となるように構成されていて、開放位置にある扉体１の閉じ操作を少ない労力で容易に行いながら、扉体１を閉止姿勢で強力に保持することができるように構成されている。
【００３７】
そのため、扉体１が閉止位置にあるときの前記線分Ｘに対する第１受け部７Ａの枢支連結軸芯Ｐ１の下方側への偏位量が、扉体１が開放位置にあるときの前記線分Ｘに対する第１受け部７Ａの枢支連結軸芯Ｐ１の上方側への偏位量よりも小に構成して、閉止位置にある扉体１を少し開き操作するだけで、扉体１に上方への弾性付勢力が作用し始めるように構成されている。
【００３８】
前記ネジ部材１５の螺合連結部における最大外径は、図５に示すように、引張コイルバネ１４のコイル内径とコイル外径との間の中間的な寸法に構成されていて、その一端部に形成された鍔部１５ｂを除く螺合連結部の外周面には、無負荷時のコイルピッチと等しいピッチでコイル線材が入り込み可能な螺旋状溝１５ｃと、該螺旋状溝１５ｃの終端に連通する環状溝とが形成されているととともに、鍔部１３ｂの端面には、ネジ部材１３をドライバー等の工具類で螺合操作するための操作溝が形成されている。
【００３９】
前記付勢力調節操作手段Ｄは、図４、図５に示すように、引張コイルバネ１４の両端部の各々に対してコイル軸芯方向から螺合固定されるネジ部材１５と、下側揺動リンク７の第１受け部７Ａに揺動軸芯と平行な軸芯周りで回動自在に両持ち状態で枢支された回動支軸１６と、この回動支軸１６の貫通孔１６ａを通して一方の第１ネジ部材１５に螺合された第１操作ネジ軸１７と、第１取付け部材４の第２受け部４Ｃに形成された部分球状面や椀状面等の湾曲面状の凹部４ｂに沿って三次元方向に向き変更自在で、かつ、この凹部４ｂに形成された貫通孔４ｄを通して他方の第２ネジ部材１５に螺合された第２操作ネジ軸１８とから構成されている。
【００４０】
前記下側揺動リンク７の第１受け部７Ａには、図３、図４に示すように、扉体１が開放位置にあるとき、第１操作ネジ軸１７の回転操作部（頭部）１７ａを開口部側の前方下方からドライバー等の回転操作具で操作するための切欠き部７ａが形成されている。
【００４１】
そして、扉体１を開放位置に開き操作した状態では、第１操作ネジ軸１７の回転操作部１７ａが開口部の前方下方に臨むから、この回転操作部１７ａを前方から容易に回転操作することができ、引張コイルバネ１４による弾性付勢力の調節作業を能率良く容易に行うことができる。
【００４２】
前記抵抗付与手段Ｅは、図６、図７に示すように、上側揺動リンク６のうち、扉体１を開放位置と閉止位置とに亘って切り換える際の全揺動範囲において第１取付け部材４と重合する部位に螺合された調節ネジ２０と、第１取付け部材４に摺動可能な状態で調節ネジ２０の先端に脱着自在に嵌合保持される摺動体２１、及び、摺動抵抗の調節後に調節ネジ２０を固定するロックナット２２とから構成されているとともに、摺動体２１の摺動面２１ａが湾曲面に形成されている。
【００４３】
前記摺動体２１は、耐摩耗性及び摺動特性に優れた合成樹脂、例えば、ポリアセタール（ＰＯＭ）やポリフェニレンスルフィド（ＰＰＳ）、ＡＢＳ樹脂、ポリアミドなどの少なくとも一種類から構成されている。
【００４４】
そして、前記付勢力調節操作手段Ｄの第１操作ネジ軸１７を調整操作することにより、扉体１を閉止位置と開放位置とに択一的に付勢保持するための付勢機構Ｃの弾性付勢力を調整することができるばかりでなく、この調節された弾性付勢力と、抵抗付与手段Ｅの調節ネジ２０によって上側揺動リンク６に付与される摺動抵抗とにより、扉体１を閉止位置と開放位置に択一的に位置保持することができるため、開放位置にある扉体１が自重又は外力で閉止位置側に簡単に揺動しないようにする場合でも、付勢機構Ｃの弾性付勢力を弱く設定することができる。
【００４５】
それ故に、開放位置にある扉体１が自重又は外力等で閉止位置側に簡単に揺動することを抑制しながらも、付勢機構Ｃによる弾性付勢力を弱く設定して、リンク機構Ｂの揺動リンク６，７が揺動中立位置を越えた際の急激な切り換え揺動を効果的に抑制することができるから、騒音や振動が小さくなるばかりでなく、衝撃力を吸収緩和するための緩衝機構が不要で、構造の簡素化、製造コストの低廉化を図ることができる。
【００４６】
前記開放位置調節手段Ｆを構成するに、図６、図７に示すように、第１取付け部材４のうち、上側揺動リンク６の揺動範囲内に位置する開放位置側の部位に、回動軸芯からの距離が異なる複数のストッパー面２４ａを備えた合成樹脂製の方形状のストッパー部材２４
が、枢支ピン２５の軸芯周りで回動並びにその回動軸芯方向の一定範囲内で移動自在に枢着され、このストッパー部材２４の底面に相対向する第１取付け部材４の摺動ガイド面には、ストッパー部材２４のストッパー面２４ａがスッパー作用位置で選択的に係合保持されるように、ストッパー部材２４の底面に形成された回動方向で複数（当該実施形態では４つ）の係合凹部２４ｂ、詳しくは、ストッパー部材２４の底面に十字状に切り込み形成される溝状の係合凹部２４ｂに対して選択的に係合する係止突起４ｅが打ち出し形成されている。
【００４７】
更に、枢支ピン２５の頭部２５ａとこれに相対向するストッパー部材２４の一側端面との間には、係合突起４ｅに対するストッパー部材２４の係合凹部２４ｂの乗り越え回動を許容する状態でストッパー部材２４を第１取付け部材４側に移動付勢する弾性付勢体の一例であるスプリング座金２６が設けられている。
【００４８】
そして、トールキャビネット、シンクキャビネット、吊り戸棚等によって扉体１の開放位置が異なる場合でも、第１取付け部材４に枢着されたストッパー部材２４をスプリング座金２６の付勢力に抗して回動操作して、第１取付け部材４から打ち出し形成された係合突起４ｅに対して合成樹脂製のストッパー部材２４の係合凹部２４ｂを乗り越え回動させ、その調整代に対応するストッパー部材２４のストッパー面２４ａをスッパー作用位置で係止保持することにより、扉体１の開放位置を適正な位置に迅速、容易に修正することができる。
【００４９】
〔第２実施形態〕
上述の第１実施形態では、図３に示すように、前記リンク機構Ｂを構成する上下一対の揺動リンク６，７が開放位置にあるとき、第２取付け部材５のうち、第２連結ピン９Ｂと第４連結ピン９Ｄとの間に位置する中間部分とそれに対応する上側揺動リンク６との間に指差し入れ用空間２３を形成したが、図９、図１０に示すように、前記リンク機構Ｂを構成する上下一対の揺動リンク６，７が開放位置及び閉止位置の何れかにあるとき、少なくとも第２取付け部材５のうち、第２連結ピン９Ｂと第４連結ピン９Ｄとの間に位置する中間部分とそれに対応する揺動リンク６，７との間に指差し入れ用空間２３を形成してもよい。
尚、その他の構成は、第１実施形態で説明した構成と同一であるから、同一の構成箇所には、第１実施形態と同一の番号を付記してそれの説明は省略する。
【００５０】
〔その他の実施形態〕
（１）上述の各実施形態では、扉取付け枠体Ａの左右側板２の内壁面の各々に、第１取付け部材４、第２取付け部材５、リンク機構Ｂを構成する揺動リンク６，７、引張コイルばね１４を備えた付勢機構Ｃ、及び、付勢機構Ｃによる弾性付勢力を調節する調節操作手段Ｄ、抵抗付与手段Ｅがユニット化されている扉体開閉ユニットを取付けて、収納室Ｓの開口部を閉止する閉止位置と開口部の上方側の外側脇に移動した開放位置とに亘って扉体１を平行又はほぼ平行姿勢に維持したまま上下方向に揺動させるように構成したが、このような扉体開閉ユニットを、扉取付け枠体Ａの天板内壁面と底板内壁面とに取付けて、収納室Ｓの開口部を閉止する閉止位置と開口部の左右外側脇に移動した開放位置とに亘って扉体１を平行又はほぼ平行姿勢に維持したまま左右方向に揺動させるように構成してもよい。
【００５１】
（２）上述の各実施形態では、リンク機構Ｂを構成する上下一対の揺動リンク６，７のうち、下側揺動リンク７の第１受け部７Ａと第１取付け部材４の第２受け部４Ｃとの間に付勢機構Ｃを設けたが、下側揺動リンク７の第１受け部７Ａと同様な第１受け部を上側揺動リンク６に設けて、この上側揺動リンク６の第１受け部と第１取付け部材４の第２受け部４Ｃとの間に付勢機構Ｃを設けてもよい。
要するに、付勢機構Ｃとしては、リンク機構Ｂの揺動に連れて扉体１を閉止位置と開放位置とに択一的に弾性力で付勢保持することのできるものであれば、いかなる構造に構成してもよい。
【００５２】
（３）前記付勢力調節操作手段Ｄとしては、付勢機構Ｃによる弾性付勢力を調節することのできるものであれば、いかなる構造に構成してもよい。
【００５３】
（４）上述の各実施形態では、前記抵抗付与手段Ｅを構成する調節ネジ２０、摺動体２１、ロックナット２２を上側揺動リンク６側に設けたが、この抵抗付与手段Ｅを構成する調節ネジ２０、摺動体２１、ロックナット２２を下側揺動リンク７側に設けてもよい。
要するに、抵抗付与手段Ｅとしては、第１取付け部材４との摺動によってリンク機構Ｂに抵抗を付与することが可能で、かつ、その付与される摺動抵抗を調節することのできるものであれば、いかなる構造に構成してもよい。
【００５４】
（５）前記開放位置調節手段Ｆとしては、上側揺動リンク６との当接によって扉体１の開放位置を複数に変更することのできるものであれば、いかなる構造に構成してもよい。
【図面の簡単な説明】
【００５５】
【図１】本発明の第１実施形態を示す扉体閉止時における断面側面図
【図２】扉体閉止時における要部の断面正面図
【図３】扉体開放時における断面側面図
【図４】扉体開閉装置の拡大斜視図
【図５】付勢機構及び付勢力調節操作手段の要部の拡大断面図
【図６】抵抗付与手段及び開放位置調節手段の拡大側面図
【図７】抵抗付与手段及び開放位置調節手段の拡大断面図
【図８】連結軸と上側揺動リンクとの取付け構造を示す要部の拡大断面図
【図９】本発明の第２実施形態を示す扉体閉止時における断面側面図
【図１０】扉体開放時における断面側面図
【符号の説明】
【００５６】
Ｂ        リンク機構
Ｃ        付勢機構
Ｄ        付勢力調節操作手段
Ｅ        抵抗付与手段
Ｆ        開放位置調節手段
Ｓ        収納室
１        扉体
４        第１取付け部材
４Ｃ      第２受け部
４ｂ      凹部（湾曲面状凹部）
４ｄ      貫通孔
４ｅ      係止突起
５        第２取付け部材
６        上側揺動リンク
７        下側揺動リンク
７Ａ      第１受け部
１４      引張コイルバネ
１５      ネジ部材
１６      回転支軸
１６ａ    貫通孔
１７      第１操作ネジ軸
１８      第２操作ネジ軸
２０      調節ネジ
２１      摺動体
２３      指差し入れ用空間
２４      ストッパー部材
２４ａ    ストッパー面
２４ｂ    係合凹部
２６      弾性付勢体（スプリング座金）
【図１】
2005133330.tif 000003
【図２】
2005133330.tif 000004
【図３】
2005133330.tif 000005
【図４】
2005133330.tif 000006
【図５】
2005133330.tif 000007
【図６】
2005133330.tif 000008
【図７】
2005133330.tif 000009
【図８】
2005133330.tif 000010
【図９】
2005133330.tif 000011
【図１０】
2005133330.tif 000012